(57)【要約】【課題】無線基地局ＤｅＮＢとリレーノードＲＮとの間で、サブフレーム構成の変更を有効にするタイミングについて同期させる。【解決手段】本発明に係る移動通信方法は、リレーノードＲＮが、「ＲＲＣ  Ｃｏｎｎｅｃｔｉｏｎ  Ｒｅｃｏｎｆｉｇｕｒａｔｉｏｎ」から「ｎｅｗ  ｃｏｎｆｉｇｕｒａｔｉｏｎ」を抽出して記憶した後、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始し、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始した後、２番目の「ＢＣＣＨ  ｍｏｄｉｆｉｃａｔｉｏｎ  ｐｅｒｉｏｄ（ｎ＋１）」が開始した際に、「ｎｅｗ  ｃｏｎｆｉｇｕｒａｔｉｏｎ」を用いた下りリンクデータの受信を開始する工程とを有する。【選択図】図３
2011238978.tif 000002
【特許請求の範囲】
【請求項１】
リレーノードと無線基地局との間でサブフレーム構成を用いた下りリンクデータの送受信を行う移動通信方法であって、
前記無線基地局と前記リレーノードとの間で第１サブフレーム構成を用いた下りリンクデータの送受信が行われている場合に、該無線基地局が、該リレーノードに対して、第２サブフレーム構成を含む再構成信号を送信する工程と、
前記リレーノードが、前記再構成信号から前記第２サブフレーム構成を抽出して記憶した後、前記第１サブフレーム構成及び該第２サブフレーム構成を用いた下りリンクデータの受信を開始し、前記無線基地局に対して、該再構成信号に対する応答信号を送信する工程と、
前記無線基地局が、前記応答信号を受信した際に、前記第２サブフレーム構成を用いた下りリンクデータの送信を開始する工程と、
前記リレーノードが、前記第１サブフレーム構成及び前記第２サブフレーム構成を用いた下りリンクデータの受信を開始した後、２番目の報知情報変更期間が開始した際に、該第２サブフレーム構成を用いた下りリンクデータの受信を開始する工程とを有することを特徴とする移動通信方法。
【請求項２】
前記リレーノードが、前記２番目の報知情報変更期間が開始した際に、前記第２サブフレーム構成を用いた下りリンクデータの送信を開始する工程を有することを特徴とする請求項１に記載の移動通信方法。
【請求項３】
サブフレーム構成を用いて無線基地局によって送信された下りリンクデータを受信するように構成されているリレーノードであって、
第１サブフレーム構成を用いた下りリンクデータの受信を行っている場合に、前記無線基地局から、第２サブフレーム構成を含む再構成信号を受信するように構成されており、
前記再構成信号から前記第２サブフレーム構成を抽出して記憶した後、前記第１サブフレーム構成及び該第２サブフレーム構成を用いた下りリンクデータの受信を開始し、前記無線基地局に対して、該再構成信号に対する応答信号を送信するように構成されており、
前記第１サブフレーム構成及び前記第２サブフレーム構成を用いた下りリンクデータの受信を開始した後、２番目の報知情報変更期間が開始した際に、該第２サブフレーム構成を用いた下りリンクデータの受信を開始するように構成されていることを特徴とするリレーノード。
【請求項４】
前記２番目の報知情報変更期間が開始した際に、前記第２サブフレーム構成を用いた下りリンクデータの送信を開始するように構成されていることを特徴とする請求項３に記載のリレーノード。
【請求項５】
リレーノードと無線基地局との間でサブフレーム構成を用いた下りリンクデータの送受信を行う移動通信方法であって、
前記無線基地局と前記リレーノードとの間で第１サブフレーム構成を用いた下りリンクデータの送受信が行われている場合に、該無線基地局が、該リレーノードに対して、第２サブフレーム構成を含む再構成信号を送信する工程Ａと、
前記リレーノードが、前記再構成信号から前記第２サブフレーム構成を抽出して記憶した後、前記第１サブフレーム構成を用いた下りリンクデータの受信の代わりに、該第２サブフレーム構成を用いた下りリンクデータの受信を開始し、前記無線基地局に対して、該再構成信号に対する応答信号を送信する工程Ｂと、
前記無線基地局が、前記再構成信号を送信してから前記応答信号を受信するまでの間、前記第１サブフレーム構成及び前記第２サブフレーム構成を用いた下りリンクデータの送信を行う工程Ｃと、
前記無線基地局が、前記応答信号を受信した際に、前記第２サブフレーム構成を用いた下りリンクデータの送信を開始する工程Ｄとを有し、
前記工程Ｃにおいて、前記無線基地局は、前記第１サブフレーム構成及び前記第２サブフレーム構成の両者によってＭＢＳＦＮサブフレームとして設定されるサブフレームでのみ前記下りリンクデータの送信を行うことを特徴とする移動通信方法。
【請求項６】
サブフレーム構成を用いてリレーノードに対して下りリンクデータを送信するように構成されている無線基地局であって、
前記リレーノードに対して第１サブフレーム構成を用いた下りリンクデータの送信を行っている場合に、該リレーノードに対して、第２サブフレーム構成を含む再構成信号を送信するように構成されており、
前記再構成信号を送信してから該再構成信号の応答信号を受信するまでの間、前記第１サブフレーム構成及び前記第２サブフレーム構成を用いた下りリンクデータの送信を行い、該応答信号を受信した際に、該第２サブフレーム構成を用いた下りリンクデータの送信を開始するように構成されており、
前記再構成信号を送信してから該再構成信号の応答信号を受信するまでの間、前記第１サブフレーム構成及び前記第２サブフレーム構成の両者によってＭＢＳＦＮサブフレームとして設定されるサブフレームでのみ前記下りリンクデータの送信を行うように構成されていることを特徴とする無線基地局。
【発明の詳細な説明】
【技術分野】
【０００１】
本発明は、移動通信方法、リレーノード及び無線基地局に関する。
【背景技術】
【０００２】
ＬＴＥ（Ｌｏｎｇ  Ｔｅｒｍ  Ｅｖｏｌｕｔｉｏｎ）方式及びＬＴＥ-Ａｄｖａｎｃｅｄ方式の移動通信システムでは、ＭＢＳＦＮ（Ｍｕｌｔｉ-Ｍｅｄｉａ  Ｂｒｏａｄｃａｓｔ  ｏｖｅｒ  Ｓｉｎｇｌｅ  Ｆｒｅｑｕｅｎｃｙ  Ｎｅｔｗｏｒｋ）用のサブフレーム（以下、ＭＢＳＦＮサブフレーム）を設定することができるように構成されている。
【０００３】
また、ＬＴＥ-Ａｄｖａｎｃｅｄ方式の移動通信システムでは、無線基地局ＤｅＮＢ配下にリレーノードＲＮを配置することができるように構成されている。
【先行技術文献】
【非特許文献】
【０００４】
【非特許文献１】３ＧＰＰ  ＴＳ３６.３００、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｏｖｅｒａｌｌ  ｄｅｓｃｒｉｐｔｉｏｎ；Ｓｔａｇｅ２」、２０１０年３月
【非特許文献２】３ＧＰＰ  ＴＲ３６.９１２、「Ｆｅａｓｉｂｉｌｉｔｙ  ｓｔｕｄｙ  ｆｏｒ  Ｆｕｒｔｈｅｒ  Ａｄｖａｎｃｅｍｅｎｔｓ  ｆｏｒ  Ｅ-ＵＴＲＡ（ＬＴＥ-Ａｄｖａｎｃｅｄ）」、２０１０年３月
【発明の概要】
【発明が解決しようとする課題】
【０００５】
しかしながら、従来の移動通信システムでは、無線基地局ＤｅＮＢが、リレーノードＲＮに対して、ＭＢＳＦＮサブフレームの設定等といったＵｎインターフェイスにおけるサブフレーム構成（ｃｏｎｆｉｇｕｒａｔｉｏｎ）の変更を指示する場合、無線基地局ＤｅＮＢとリレーノードＲＮとの間で、サブフレーム構成の変更を有効にするタイミングについて同期させることができないという問題点があった。
【０００６】
具体的には、図６に示すように、ステップＳ３００１において、無線基地局ＤｅＮＢが、リレーノードＲＮに対して、「ｎｅｗ  ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信し、ステップＳ３００２において、リレーノードＲＮが、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【０００７】
ここで、無線基地局ＤｅＮＢが、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信した時点ｔ３から、「ｎｅｗ  ｃｏｎｆｉｇｕｒａｔｉｏｎ」を用いた下りリンクデータの送信を開始するのに対して、リレーノードＲＮは、「ＲＲＣ  Ｃｏｎｎｅｃｔｉｏｎ  Ｒｅｃｏｎｆｉｇｕｒａｔｉｏｎ」から「ｎｅｗ  ｃｏｎｆｉｇｕｒａｔｉｏｎ」を抽出して記憶した時点ｔ１から「ｎｅｗ  ｃｏｎｆｉｇｕｒａｔｉｏｎ」を用いた下りリンクデータの受信を開始するように構成されている。
【０００８】
したがって、図６に示すように、無線基地局ＤｅＮＢが、ｔ２において、「ｏｌｄ  ｃｏｎｆｉｇｕｒａｔｉｏｎ」を用いて下りリンクデータを送信した場合には、リレーノードＲＮが、かかる下りリンクデータを受信することができなくなってしまうという問題点があった。
【０００９】
そこで、本発明は、上述の課題に鑑みてなされたものであり、無線基地局ＤｅＮＢとリレーノードＲＮとの間で、サブフレーム構成の変更を有効にするタイミングについて同期させることができる移動通信方法、リレーノード及び無線基地局を提供することを目的とする。
【課題を解決するための手段】
【００１０】
本発明の第１の特徴は、リレーノードと無線基地局との間でサブフレーム構成を用いた下りリンクデータの送受信を行う移動通信方法であって、前記無線基地局と前記リレーノードとの間で第１サブフレーム構成を用いた下りリンクデータの送受信が行われている場合に、該無線基地局が、該リレーノードに対して、第２サブフレーム構成を含む再構成信号を送信する工程と、前記リレーノードが、前記再構成信号から前記第２サブフレーム構成を抽出して記憶した後、前記第１サブフレーム構成及び該第２サブフレーム構成を用いた下りリンクデータの受信を開始し、前記無線基地局に対して、該再構成信号に対する応答信号を送信する工程と、前記無線基地局が、前記応答信号を受信した際に、前記第２サブフレーム構成を用いた下りリンクデータの送信を開始する工程と、前記リレーノードが、前記第１サブフレーム構成及び前記第２サブフレーム構成を用いた下りリンクデータの受信を開始した後、２番目の報知情報変更期間が開始した際に、該第２サブフレーム構成を用いた下りリンクデータの受信を開始する工程とを有することを要旨とする。
【００１１】
本発明の第２の特徴は、サブフレーム構成を用いて無線基地局によって送信された下りリンクデータを受信するように構成されているリレーノードであって、第１サブフレーム構成を用いた下りリンクデータの受信を行っている場合に、前記無線基地局から、第２サブフレーム構成を含む再構成信号を受信するように構成されており、前記再構成信号から前記第２サブフレーム構成を抽出して記憶した後、前記第１サブフレーム構成及び該第２サブフレーム構成を用いた下りリンクデータの受信を開始し、前記無線基地局に対して、該再構成信号に対する応答信号を送信するように構成されており、前記第１サブフレーム構成及び前記第２サブフレーム構成を用いた下りリンクデータの受信を開始した後、２番目の報知情報変更期間が開始した際に、該第２サブフレーム構成を用いた下りリンクデータの受信を開始するように構成されていることを要旨とする。
【００１２】
本発明の第３の特徴は、リレーノードと無線基地局との間でサブフレーム構成を用いた下りリンクデータの送受信を行う移動通信方法であって、前記無線基地局と前記リレーノードとの間で第１サブフレーム構成を用いた下りリンクデータの送受信が行われている場合に、該無線基地局が、該リレーノードに対して、第２サブフレーム構成を含む再構成信号を送信する工程Ａと、前記リレーノードが、前記再構成信号から前記第２サブフレーム構成を抽出して記憶した後、前記第１サブフレーム構成を用いた下りリンクデータの受信の代わりに、該第２サブフレーム構成を用いた下りリンクデータの受信を開始し、前記無線基地局に対して、該再構成信号に対する応答信号を送信する工程Ｂと、前記無線基地局が、前記再構成信号を送信してから前記応答信号を受信するまでの間、前記第１サブフレーム構成及び前記第２サブフレーム構成を用いた下りリンクデータの送信を行う工程Ｃと、前記無線基地局が、前記応答信号を受信した際に、前記第２サブフレーム構成を用いた下りリンクデータの送信を開始する工程Ｄとを有し、前記工程Ｃにおいて、前記無線基地局は、前記第１サブフレーム構成及び前記第２サブフレーム構成の両者によってＭＢＳＦＮサブフレームとして設定されるサブフレームでのみ前記下りリンクデータの送信を行うことを要旨とする。
【００１３】
本発明の第４の特徴は、サブフレーム構成を用いてリレーノードに対して下りリンクデータを送信するように構成されている無線基地局であって、前記リレーノードに対して第１サブフレーム構成を用いた下りリンクデータの送信を行っている場合に、該リレーノードに対して、第２サブフレーム構成を含む再構成信号を送信するように構成されており、前記再構成信号を送信してから該再構成信号の応答信号を受信するまでの間、前記第１サブフレーム構成及び前記第２サブフレーム構成を用いた下りリンクデータの送信を行い、該応答信号を受信した際に、該第２サブフレーム構成を用いた下りリンクデータの送信を開始するように構成されており、前記再構成信号を送信してから該再構成信号の応答信号を受信するまでの間、前記第１サブフレーム構成及び前記第２サブフレーム構成の両者によってＭＢＳＦＮサブフレームとして設定されるサブフレームでのみ前記下りリンクデータの送信を行うように構成されていることを要旨とする。
【発明の効果】
【００１４】
以上説明したように、本発明によれば、無線基地局ＤｅＮＢとリレーノードＲＮとの間で、サブフレーム構成の変更を有効にするタイミングについて同期させることができる移動通信方法、リレーノード及び無線基地局を提供することができる。
【図面の簡単な説明】
【００１５】
【図１】本発明の第１の実施形態に係る移動通信システムの全体構成図である。
【図２】本発明の第１の実施形態に係るリレーノードの機能ブロック図である。
【図３】本発明の第１の実施形態に係る無線基地局の機能ブロック図である。
【図４】本発明の第１の実施形態に係る移動通信システムの動作を説明するための図である。
【図５】本発明の第２の実施形態に係る移動通信システムの動作を説明するための図である。
【図６】従来の移動通信システムの動作を説明するための図である。
【発明を実施するための形態】
【００１６】
（本発明の第１の実施形態に係る移動通信システム）
図１乃至図５を参照して、本発明の第１の実施形態に係る移動通信システムについて説明する。
【００１７】
図１に示すように、本実施形態に係る移動通信システムは、無線基地局ＤｅＮＢと、リレーノードＲＮとを具備している。ここで、本実施形態に係る移動通信システムにおいて、無線基地局ＤｅＮＢとリレーノードＲＮとの間は、Ｕｎインターフェイスによって接続されており、リレーノードＲＮと移動局ＵＥとの間は、Ｕｕインターフェイスによって接続されている。
【００１８】
図２に示すように、リレーノードＲＮは、管理部１１と、受信部１２と、送信部１３とを具備している。
【００１９】
管理部１１は、Ｕｎインターフェイスにおけるサブフレーム構成（ｃｏｎｆｉｇｕｒａｔｉｏｎ）や、Ｕｕインターフェイスにおけるサブフレーム構成（ｃｏｎｆｉｇｕｒａｔｉｏｎ）等を管理するように構成されている。
【００２０】
ここで、Ｕｎインターフェイスにおけるサブフレーム構成には、ＭＢＳＦＮサブフレームとして設定されているサブフレームの情報等が含まれている。
【００２１】
受信部１２は、無線基地局ＤｅＮＢから、ＭＢＳＦＮサブフレームとして設定されているサブフレームの情報等の再設定値を示す「ｎｅｗ  ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を受信するように構成されている。
【００２２】
送信部１３は、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されている。
【００２３】
ここで、受信部１２は、ＭＢＳＦＮサブフレームとして設定されているサブフレームの情報等を示す「ｏｌｄ  ｃｏｎｆｉｇｕｒａｔｉｏｎ」を用いた下りリンクデータの受信を行っている場合に、無線基地局ＤｅＮＢから、「ｎｅｗ  ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を受信した場合、「ＲＲＣ  Ｃｏｎｎｅｃｔｉｏｎ  Ｒｅｃｏｎｆｉｇｕｒａｔｉｏｎ」から「ｎｅｗ  ｃｏｎｆｉｇｕｒａｔｉｏｎ」を抽出して管理部１１に記憶した後、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始するように構成されている。
【００２４】
この際、送信部１３は、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されている。
【００２５】
また、受信部１２は、「ＲＲＣ  Ｃｏｎｎｅｃｔｉｏｎ  Ｒｅｃｏｎｆｉｇｕｒａｔｉｏｎ」を受信し、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始した後、２番目の「ＢＣＣＨ  ｍｏｄｉｆｉｃａｔｉｏｎ  ｐｅｒｉｏｄ（ｎ＋１）」が開始した際に、「ｎｅｗ  ｃｏｎｆｉｇｕｒａｔｉｏｎ」を用いた下りリンクデータの受信を開始するように構成されている。
【００２６】
ここで、送信部１３は、「ＢＣＣＨ  ｍｏｄｉｆｉｃａｔｉｏｎ  ｐｅｒｉｏｄ（ｎ＋１）」が開始した際に、移動局ＵＥに対する「ｎｅｗ  ｃｏｎｆｉｇｕｒａｔｉｏｎ」を用いた下りリンクデータの送信を開始するように構成されていてもよい。
【００２７】
図３に示すように、無線基地局ＤｅＮＢは、管理部２１と、送信部２２と、受信部２３とを具備している。
【００２８】
管理部２１は、Ｕｎインターフェイスにおけるサブフレーム構成（ｃｏｎｆｉｇｕｒａｔｉｏｎ）等を管理するように構成されている。
【００２９】
送信部２２は、リレーノードＲＮに対して、「ｎｅｗ  ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信するように構成されている。
【００３０】
受信部２３は、リレーノードＲＮから、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信するように構成されている。
【００３１】
ここで、受信部２３が、リレーノードＲＮから、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信した際に、送信部２２は、「ｏｌｄ  ｃｏｎｆｉｇｕｒａｔｉｏｎ」を用いた下りリンクデータの送信の代わりに、「ｎｅｗ  ｃｏｎｆｉｇｕｒａｔｉｏｎ」を用いた下りリンクデータの送信を開始するように構成されている。
【００３２】
以下、図４を参照して、本実施形態に係る移動通信システムの動作について説明する。
【００３３】
図４に示すように、ステップＳ１００１において、無線基地局ＤｅＮＢは、リレーノードＲＮに対して、ＭＢＳＦＮサブフレームの設定情報等の「ｎｅｗ  ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信する。
【００３４】
ステップＳ１００２において、リレーノードＲＮは、無線基地局ＤｅＮＢに対して、「ＲＲＣ  Ｃｏｎｎｅｃｔｉｏｎ  Ｒｅｃｏｎｆｉｇｕｒａｔｉｏｎ」を含む下りリンク信号に対する「ＨＡＲＱ-Ａｃｋ」を送信する。
【００３５】
その後、ステップＳ１００３において、リレーノードＲＮは、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００３６】
ステップＳ１００４において、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を含む上りリンク信号に対する「ＨＡＲＱ-Ａｃｋ」を送信する。
【００３７】
ここで、無線基地局ＤｅＮＢは、リレーノードＲＮからの「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信した際に、ｔ３において、「ｎｅｗ  ｃｏｎｆｉｇｕｒａｔｉｏｎ」を用いた下りリンクデータの送信を開始する。
【００３８】
一方、リレーノードＲＮは、「ＲＲＣ  Ｃｏｎｎｅｃｔｉｏｎ  Ｒｅｃｏｎｆｉｇｕｒａｔｉｏｎ」から「ｎｅｗ  ｃｏｎｆｉｇｕｒａｔｉｏｎ」を抽出して管理部１１に記憶した後、ｔ１において、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始する。
【００３９】
その後、リレーノードＲＮは、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始した後、２番目の「ＢＣＣＨ  ｍｏｄｉｆｉｃａｔｉｏｎ  ｐｅｒｉｏｄ（ｎ＋１）」が開始した際に、ｔ４において、「ｎｅｗ  ｃｏｎｆｉｇｕｒａｔｉｏｎ」を用いた下りリンクデータの受信を開始する。
【００４０】
なお、「ＢＣＣＨ  ｍｏｄｉｆｉｃａｔｉｏｎ  ｐｅｒｉｏｄ（ｎ）」は、ｔ２において開始している。
【００４１】
ここで、リレーノードＲＮは、ｔ２から、リレーノードＲＮ配下のセル内の移動局ＵＥに対して、報知情報の内容が変更になることを通知するページングメッセージ若しくはＳＩＢ１を送信する。
【００４２】
すなわち、リレーノードＲＮは、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始した後、最初に開始する「ＢＣＣＨ  ｍｏｄｉｆｉｃａｔｉｏｎ  ｐｅｒｉｏｄ（ｎ）」において、報知情報の内容が変更になることを通知するページングメッセージ若しくはＳＩＢ１を送信する。
【００４３】
その後、リレーノードＲＮは、「ＢＣＣＨ  ｍｏｄｉｆｉｃａｔｉｏｎ  ｐｅｒｉｏｄ（ｎ＋１）」において、変更された報知情報（「Ｕｐｄａｔｅｄ  ｉｎｆｏｒｍａｔｉｏｎ」）を送信する。
【００４４】
本実施形態に係る移動通信にシステムによれば、リレーノードＲＮが、ｔ１において、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始し、ｔ３において無線基地局ＤｅＮＢによって「ｎｅｗ  ｃｏｎｆｉｇｕｒａｔｉｏｎ」を用いた下りリンクデータの送信が開始された後に、ｔ４において、「ｎｅｗ  ｃｏｎｆｉｇｕｒａｔｉｏｎ」を用いた下りリンクデータの受信を開始するように構成されているため、無線基地局ＤｅＮＢとリレーノードＲＮとの間でサブフレーム構成の変更を有効にするタイミングについて同期させることができる。
【００４５】
（本発明の第２の実施形態に係る移動通信システム）
図５を参照して、本発明の第２の実施形態に係る移動通信システムの構成について説明する。以下、本実施形態に係る移動通信システムについて、上述の第１の実施形態に係る移動通信システムとの相違点に着目して説明する。
【００４６】
リレーノードＲＮの受信部１２は、「ＲＲＣ  Ｃｏｎｎｅｃｔｉｏｎ  Ｒｅｃｏｎｆｉｇｕｒａｔｉｏｎ」から「ｎｅｗ  ｃｏｎｆｉｇｕｒａｔｉｏｎ」を抽出して記憶した後、「ｏｌｄ  ｃｏｎｆｉｇｕｒａｔｉｏｎ」を用いた下りリンクデータの受信の代わりに、「ｎｅｗ  ｃｏｎｆｉｇｕｒａｔｉｏｎ」を用いた下りリンクデータの受信を開始するように構成されている。
【００４７】
無線基地局ＤｅＮＢの送信部２２は、「ＲＲＣ  Ｃｏｎｎｅｃｔｉｏｎ  Ｒｅｃｏｎｆｉｇｕｒａｔｉｏｎ」が送信されてから「ＲＲＣ  Ｃｏｎｎｅｃｔｉｏｎ  Ｒｅｃｏｎｆｉｇｕｒａｔｉｏｎ  Ｃｏｍｐｌｅｔｅ」が受信されるまでの間、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの送信を行うように構成されている。
【００４８】
また、無線基地局ＤｅＮＢも送信部２２は、「ＲＲＣ  Ｃｏｎｎｅｃｔｉｏｎ  Ｒｅｃｏｎｆｉｇｕｒａｔｉｏｎ  Ｃｏｍｐｌｅｔｅ」が受信された際に、「ｎｅｗ  ｃｏｎｆｉｇｕｒａｔｉｏｎ」を用いた下りリンクデータの送信を開始するように構成されている。
【００４９】
ここで、無線基地局ＤｅＮＢの送信部２２は、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの送信を行っている間は、「ｏｌｄ  ｃｏｎｆｉｇｕｒａｔｉｏｎ」及び「ｎｅｗ  ｃｏｎｆｉｇｕｒａｔｉｏｎ」の両者によってＭＢＳＦＮサブフレームとして設定されるサブフレームでのみ下りリンクデータの送信を行うように構成されている。
【００５０】
以下、図５を参照して、本実施形態に係る移動通信システムの動作について説明する。
【００５１】
ここで、無線基地局ＤｅＮＢは、リレーノードＲＮに対して「ＲＲＣ  Ｃｏｎｎｅｃｔｉｏｎ  Ｒｅｃｏｎｆｉｇｕｒａｔｉｏｎ」を送信した際に、ｔ１において、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの送信を開始する。
【００５２】
その後、リレーノードＲＮは、「ＲＲＣ  Ｃｏｎｎｅｃｔｉｏｎ  Ｒｅｃｏｎｆｉｇｕｒａｔｉｏｎ」から「ｎｅｗ  ｃｏｎｆｉｇｕｒａｔｉｏｎ」を抽出して記憶した後、ｔ３において、「ｏｌｄ  ｃｏｎｆｉｇｕｒａｔｉｏｎ」を用いた下りリンクデータの受信の代わりに、「ｎｅｗ  ｃｏｎｆｉｇｕｒａｔｉｏｎ」を用いた下りリンクデータの受信を開始する。
【００５３】
その後、無線基地局ＤｅＮＢは、リレーノードＲＮから「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信した際に、ｔ４において、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの送信の代わりに、「ｎｅｗ  ｃｏｎｆｉｇｕｒａｔｉｏｎ」を用いた下りリンクデータの送信を開始する。
【００５４】
なお、無線基地局ＤｅＮＢは、ｔ１からｔ４までの間は、「ｏｌｄ  ｃｏｎｆｉｇｕｒａｔｉｏｎ」及び「ｎｅｗ  ｃｏｎｆｉｇｕｒａｔｉｏｎ」の両者によってＭＢＳＦＮサブフレームとして設定されるサブフレームでのみ下りリンクデータの送信を行う。
【００５５】
本実施形態に係る移動通信にシステムによれば、無線基地局ＤｅＮＢが、ｔ１からｔ４までの間は、「ｏｌｄ  ｃｏｎｆｉｇｕｒａｔｉｏｎ」及び「ｎｅｗ  ｃｏｎｆｉｇｕｒａｔｉｏｎ」の両者によってＭＢＳＦＮサブフレームとして設定されるサブフレームでのみ下りリンクデータの送信を行い、リレーノードＲＮによって「ｎｅｗ  ｃｏｎｆｉｇｕｒａｔｉｏｎ」を用いた下りリンクデータの送信が開始された後に、ｔ４において、「ｎｅｗ  ｃｏｎｆｉｇｕｒａｔｉｏｎ」を用いた下りリンクデータの受信を開始するように構成されているため、無線基地局ＤｅＮＢとリレーノードＲＮとの間でサブフレーム構成の変更を有効にするタイミングについて同期させることができる。
【００５６】
以上に述べた実施形態の特徴は、以下のように表現されていてもよい。
【００５７】
本実施形態の第１の特徴は、移動通信方法であって、リレーノードＲＮと無線基地局ＤｅＮＢとの間で「ｃｏｎｆｉｇｕｒａｔｉｏｎ（サブフレーム構成）」を用いた下りリンクデータの送受信を行う移動通信方法であって、無線基地局ＤｅＮＢとリレーノードＲＮとの間で「ｏｌｄ  ｃｏｎｆｉｇｕｒａｔｉｏｎ（第１サブフレーム構成）」を用いた下りリンクデータの送受信が行われている場合に、無線基地局ＤｅＮＢが、リレーノードＲＮに対して、「ｎｅｗ  ｃｏｎｆｉｇｕｒａｔｉｏｎ（第２サブフレーム構成）」を含む「ＲＲＣ  Ｃｏｎｎｅｃｔｉｏｎ  Ｒｅｃｏｎｆｉｇｕｒａｔｉｏｎ（再構成信号）」を送信する工程と、リレーノードＲＮが、「ＲＲＣ  Ｃｏｎｎｅｃｔｉｏｎ  Ｒｅｃｏｎｆｉｇｕｒａｔｉｏｎ」から「ｎｅｗ  ｃｏｎｆｉｇｕｒａｔｉｏｎ」を抽出して記憶した後、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始し、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ（再構成信号に対する応答信号）」を送信する工程と、無線基地局ＤｅＮＢが、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信した際に、「ｏｌｄ  ｃｏｎｆｉｇｕｒａｔｉｏｎ」を用いた下りリンクデータの送信の代わりに、「ｎｅｗ  ｃｏｎｆｉｇｕｒａｔｉｏｎ」を用いた下りリンクデータの送信を開始する工程と、リレーノードＲＮが、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始した後、２番目の「ＢＣＣＨ  ｍｏｄｉｆｉｃａｔｉｏｎ  ｐｅｒｉｏｄ（ｎ＋１）」が開始した際に、「ｎｅｗ  ｃｏｎｆｉｇｕｒａｔｉｏｎ」を用いた下りリンクデータの受信を開始する工程とを有することを要旨とする。
【００５８】
本実施形態の第１の特徴において、リレーノードＲＮが、「ＢＣＣＨ  ｍｏｄｉｆｉｃａｔｉｏｎ  ｐｅｒｉｏｄ（ｎ＋１）」が開始した際に、「ｎｅｗ  ｃｏｎｆｉｇｕｒａｔｉｏｎ」を用いた下りリンクデータの送信を開始する工程を有してもよい。
【００５９】
本実施形態の第２の特徴は、「ｃｏｎｆｉｇｕｒａｔｉｏｎ」を用いて無線基地局ＤｅＮＢによって送信された下りリンクデータを受信するように構成されているリレーノードＲＮであって、「ｏｌｄ  ｃｏｎｆｉｇｕｒａｔｉｏｎ」を用いた下りリンクデータの受信を行っている場合に、無線基地局ＤｅＮＢから、「ｎｅｗ  ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を受信するように構成されており、「ＲＲＣ  Ｃｏｎｎｅｃｔｉｏｎ  Ｒｅｃｏｎｆｉｇｕｒａｔｉｏｎ」から「ｎｅｗ  ｃｏｎｆｉｇｕｒａｔｉｏｎ」を抽出して記憶した後、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始し、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されており、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの受信を開始した後、２番目の「ＢＣＣＨ  ｍｏｄｉｆｉｃａｔｉｏｎ  ｐｅｒｉｏｄ（ｎ＋１）」が開始した際に、「ｎｅｗ  ｃｏｎｆｉｇｕｒａｔｉｏｎ」を用いた下りリンクデータの受信を開始するように構成されていることを要旨とする。
【００６０】
本実施形態の第２の特徴において、「ＢＣＣＨ  ｍｏｄｉｆｉｃａｔｉｏｎ  ｐｅｒｉｏｄ（ｎ＋１）」が開始した際に、「ｎｅｗ  ｃｏｎｆｉｇｕｒａｔｉｏｎ」を用いた下りリンクデータの送信を開始するように構成されていてもよい。
【００６１】
本実施形態の第３の特徴は、リレーノードＲＮと無線基地局ＤｅＮＢとの間で「ｃｏｎｆｉｇｕｒａｔｉｏｎ」を用いた下りリンクデータの送受信を行う移動通信方法であって、無線基地局ＤｅＮＢとリレーノードＲＮとの間で「ｏｌｄ  ｃｏｎｆｉｇｕｒａｔｉｏｎ」を用いた下りリンクデータの送受信が行われている場合に、無線基地局ＤｅＮＢが、リレーノードＲＮに対して、「ｎｅｗ  ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信する工程Ａと、リレーノードＲＮが、「ＲＲＣ  Ｃｏｎｎｅｃｔｉｏｎ  Ｒｅｃｏｎｆｉｇｕｒａｔｉｏｎ」から「ｎｅｗ  ｃｏｎｆｉｇｕｒａｔｉｏｎ」を抽出して記憶した後、「ｏｌｄ  ｃｏｎｆｉｇｕｒａｔｉｏｎ」を用いた下りリンクデータの受信の代わりに、「ｎｅｗ  ｃｏｎｆｉｇｕｒａｔｉｏｎ」を用いた下りリンクデータの受信を開始し、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する工程Ｂと、無線基地局ＤｅＮＢが、「ＲＲＣ  Ｃｏｎｎｅｃｔｉｏｎ  Ｒｅｃｏｎｆｉｇｕｒａｔｉｏｎ」を送信してから「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信するまでの間、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの送信を行う工程Ｃと、無線基地局ＤｅＮＢが、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信した際に、「ｎｅｗ  ｃｏｎｆｉｇｕｒａｔｉｏｎ」を用いた下りリンクデータの送信を開始する工程Ｄとを有し、工程Ｃにおいて、無線基地局ＤｅＮＢは、「ｏｌｄ  ｃｏｎｆｉｇｕｒａｔｉｏｎ」及び「ｎｅｗ  ｃｏｎｆｉｇｕｒａｔｉｏｎ」の両者によってＭＢＳＦＮサブフレームとして設定されるサブフレームでのみ下りリンクデータの送信を行うことを要旨とする。
【００６２】
本実施形態の第４の特徴は、「ｃｏｎｆｉｇｕｒａｔｉｏｎ」を用いてリレーノードＲＮに対して下りリンクデータを送信するように構成されている無線基地局ＤｅＮＢであって、リレーノードＲＮに対して「ｏｌｄ  ｃｏｎｆｉｇｕｒａｔｉｏｎ」を用いた下りリンクデータの送信を行っている場合に、リレーノードにＲＮ対して、「ｎｅｗ  ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信するように構成されており、「ＲＲＣ  Ｃｏｎｎｅｃｔｉｏｎ  Ｒｅｃｏｎｆｉｇｕｒａｔｉｏｎ」を送信してから「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信するまでの間、「ｏｌｄ  ｃｏｎｆｉｇｕｒａｔｉｏｎ」及び「ｎｅｗ  ｃｏｎｆｉｇｕｒａｔｉｏｎ」を用いた下りリンクデータの送信を行い、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信した際に、「ｎｅｗ  ｃｏｎｆｉｇｕｒａｔｉｏｎ」を用いた下りリンクデータの送信を開始するように構成されており、「ＲＲＣ  Ｃｏｎｎｅｃｔｉｏｎ  Ｒｅｃｏｎｆｉｇｕｒａｔｉｏｎ」を送信してから「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信するまでの間、「ｏｌｄ  ｃｏｎｆｉｇｕｒａｔｉｏｎ」及び「ｎｅｗ  ｃｏｎｆｉｇｕｒａｔｉｏｎ」の両者によってＭＢＳＦＮサブフレームとして設定されるサブフレームでのみ下りリンクデータの送信を行うように構成されていることを要旨とする。
【００６３】
なお、上述の移動局ＵＥや無線基地局ＤｅＮＢやリレーノードＲＮの動作は、ハードウェアによって実施されてもよいし、プロセッサによって実行されるソフトウェアモジュールによって実施されてもよいし、両者の組み合わせによって実施されてもよい。
【００６４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＤｅＮＢやリレーノードＲＮ内に設けられていてもよい。また、かかる記憶媒体及びプロセッサは、ディスクリートコンポーネントとして移動局ＵＥや無線基地局ＤｅＮＢやリレーノードＲＮ内に設けられていてもよい。
【００６６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００６７】
ＵＥ…移動局
ＲＮ…リレーノード
ＤｅＮＢ…無線基地局
１１、２１…管理部
１２、２３…受信部
１３、２２…送信部
【図１】
2011238978.tif 000003
【図２】
2011238978.tif 000004
【図３】
2011238978.tif 000005
【図４】
2011238978.tif 000006
【図５】
2011238978.tif 000007
【図６】
2011238978.tif 000008